(57)【要約】【課題】保持台への載置時間が長くなってもコテ先のクリーニングの必要が無く、特にハンダ作業に不慣れな学生でも、安全で効率的なハンダ付け作業を行うことができるコードレスハンダゴテ及び保持台を提供すること。【解決手段】本発明のコードレスハンダゴテは、コテ先１０を取り付けるハンダゴテ本体２０と、ハンダゴテ本体２０にバッテリー３０を取り付けて、ハンダゴテ本体２０には、バッテリー３０の出力端子３１に接続される電源端子２１と、バッテリー３０の入力端子３２に接続される充電端子２２と、電源端子２１とコテ先１０との通電回路２３を開閉する通電制御スイッチ２４と、充電端子２２と接続される本体側入力端子２５とを備え、ハンダゴテ本体２０を保持台５０に載置することで、通電制御スイッチ２４が通電回路２３を開とし、本体側入力端子２５が充電部６０に接続されることを特徴とする。【選択図】        図１
2018158381.tif 000002
【特許請求の範囲】
【請求項１】
コテ先を取り付けるハンダゴテ本体と、前記ハンダゴテ本体にバッテリーを取り付けて用いるコードレスハンダゴテであって、
前記ハンダゴテ本体には、
前記バッテリーの出力端子に接続される電源端子と、
前記バッテリーの入力端子に接続される充電端子と、
前記電源端子と前記コテ先との通電回路を開閉する通電制御スイッチと、
前記充電端子と接続される本体側入力端子と
を備え、
前記ハンダゴテ本体を保持台に載置することで、
前記通電制御スイッチが前記通電回路を開とし、
前記本体側入力端子が充電部に接続される
ことを特徴とするコードレスハンダゴテ。
【請求項２】
前記通電制御スイッチとして、リードスイッチを用いた
ことを特徴とする請求項１に記載のコードレスハンダゴテ。
【請求項３】
前記バッテリーには、定電圧回路を備えた
ことを特徴とする請求項１又は請求項２に記載のコードレスハンダゴテ。
【請求項４】
前記バッテリーには、前記出力端子からの通電を停止する通電停止スイッチを備えた
ことを特徴とする請求項１から請求項３のいずれか１項に記載のコードレスハンダゴテ。
【請求項５】
前記ハンダゴテ本体には、前記コテ先への通電状態を示す表示部を備えた
ことを特徴とする請求項１から請求項４のいずれか１項に記載のコードレスハンダゴテ。
【請求項６】
前記本体側入力端子が一方本体側入力端子と他方本体側入力端子とで構成され、
前記一方本体側入力端子を前記コテ先のコテ先外周面又は前記コテ先外周面に耐熱電気絶縁材を介して配置される導電材とし、
前記他方本体側入力端子を前記ハンダゴテ本体に設けた
ことを特徴とする請求項１から請求項５のいずれか１項に記載のコードレスハンダゴテ。
【請求項７】
前記電源端子が一方電源端子と他方電源端子とで構成され、
前記一方電源端子を、前記コテ先への前記通電回路と、前記コテ先のコテ先外周面又は前記コテ先外周面に耐熱電気絶縁材を介して配置される導電材への接続とに切り替え、前記他方電源端子を、前記コテ先への前記通電回路と、導通チェッカー端子への接続とに切り替える切替スイッチを備え、
前記導通チェッカー端子を前記ハンダゴテ本体に設け、
前記切替スイッチによって、前記一方電源端子を前記コテ先外周面又は前記導電材に接続し、前記他方電源端子を前記導通チェッカー端子に接続し、
前記導通チェッカー端子に一方プローブを接続し、前記コテ先を他方プローブとして用い、
前記一方プローブと前記コテ先とを用いて導通チェックを行う
ことを特徴とする請求項１から請求項５のいずれか１項に記載のコードレスハンダゴテ。
【請求項８】
請求項２に記載のコードレスハンダゴテに用いる保持台であって、
前記リードスイッチを動作させる磁石を備えた
ことを特徴とする保持台。
【請求項９】
前記磁石を、前記リードスイッチを動作させる第１の位置と、前記リードスイッチを動作させない第２の位置とに移動できる
ことを特徴とする請求項８に記載の保持台。
【請求項１０】
前記磁石を、電磁石とし、
前記電磁石への通電を断続的に行う制御部を備えた
ことを特徴とする請求項８に記載の保持台。
【請求項１１】
前記本体側入力端子が一方本体側入力端子と他方本体側入力端子とで構成され、
前記一方本体側入力端子を前記コテ先のコテ先外周面とし、
前記他方本体側入力端子を前記ハンダゴテ本体に設け、
前記コテ先を載置する載置部材と、
前記載置部材を支持する受け台と、
前記受け台に一端を支持される一対の可動アームと
を備え、
前記磁石を一対の前記可動アームの他端に設け、
一方の前記可動アームに設けた前記磁石で、前記リードスイッチを動作させ、
他方の前記可動アームに設けた前記磁石で、前記他方本体側入力端子と接続し、
前記載置部材に前記一方本体側入力端子を接続した
ことを特徴とする請求項８に記載の保持台。
【請求項１２】
前記コテ先の少なくとも先端を保温する保温カバーを設けた
ことを特徴とする請求項８に記載の保持台。
【発明の詳細な説明】
【技術分野】
【０００１】
本発明は、ハンダゴテ本体にバッテリーを取り付けて用いるコードレスハンダゴテ及び保持台に関する。
【背景技術】
【０００２】
ハンダ付け作業においては、ハンダゴテに対して商用電源である交流１００Vから電源ケーブルを用いて電源を供給し、コテ先の温度を高温に保ちながら作業を行うのが一般的である。この際には、常時電源をヒーターに供給し、ハンダゴテのコテ先温度を高温に保ったままコテ台に置き、必要に応じて電子部品をハンダ付けするという作業の繰り返しである。しかし、電子工作の経験が少ない者が行うほど、電子部品をプリント基板に配置する時間が長くなり、結果としてハンダゴテが高温状態のままコテ台に置かれる時間が多くを占める。またハンダ付け作業の過程では高温状態であるハンダゴテ先端と電源ケーブルが接触することがしばしば発生するため、電源を供給するためのケーブルは耐熱性能に優れたものが使用されている。このようなケーブルは耐熱性能には優れているものの、柔軟性やケーブル重量の面でストレスになることが多い。
設計した電子回路をプリント基板に実装する課題実習では、学生が一定人数のグループを作り、限られた作業机を共有する。この実習では、それぞれの学生が所有するハンダゴテやニッパーなどの工具を使用して行う。そのために、机上は電子部品の他、ハンダゴテや工具で占有される。従って、作業効率が低下することに加え、ハンダゴテのケーブルが隣接する作業者と絡まることでハンダゴテが落下するなどして、やけどなどの怪我にも繋がる危険性がある。
このように、商用電源に電源ケーブルを繋いで用いるハンダゴテは、実習課題である繊細なハンダ付けや、手狭な作業机の上での集団作業には向かず、学習効率の改善が求められている。
このような問題を解決するハンダゴテとして、電池式コードレスハンダゴテやガスヒート式のコードレスハンダゴテが市販されている。しかし、市販されている電池式コードレスハンダゴテは、連続使用時間が１時間程度と短いために課題実習には適さない。また、ガスヒート式のコードレスハンダゴテは、フラックス塗布のような火気厳禁の実習作業には適さない。
特許文献１は、電源に二次電池を用いたコードレスハンダゴテを開示し、特許文献２は、電池を格納した電源カートリッジを選択的に利用できる電池式コードレスハンダゴテを開示している。
また、特許文献３は、電気二重層コンデンサを電源部とし、専用保持台にハンダゴテを置いた時には自動的にコンデンサが充電されるコードレス式電気はんだ加熱器具を開示している。
【先行技術文献】
【特許文献】
【０００３】
【特許文献１】実願昭５９−１９５９２１号（実開昭６１−１１１６７０号）のマイクロフィルム
【特許文献２】特開２００６−２６７４４号公報
【特許文献３】国際公開第２００５／０８４８６５号
【発明の開示】
【発明が解決しようとする課題】
【０００４】
特許文献１から特許文献３で開示されているようなコードレスハンダゴテを用いることで、ハンダゴテのケーブルに関する問題は解決できる。
しかし、特に電子工作の経験が少ない学生は、抵抗や半導体などの電子部品を電子基板に設置する時間が長くなるため、ハンダゴテは、長時間、高温状態のまま保持台に置かれた状態となる。このように高温状態のままハンダゴテを放置すると、電力を無駄に消費するだけでなく、ハンダゴテのコテ先の先端が、熱により酸化膜を形成してハンダ付け作業ができなくなる。特に電子回路実装に不慣れな学生では、ハンダゴテの放置時間が長時間にわたるため、その都度コテ先のクリーニングを行う必要が生じ、メンテナンスにかかる時間が多くなる。
【０００５】
そこで本発明は、保持台への載置時間が長くなってもコテ先のクリーニングの必要が無く、特にハンダ作業に不慣れな学生でも、安全で効率的なハンダ付け作業を行うことができるコードレスハンダゴテ及び保持台を提供することを目的とする。
【課題を解決するための手段】
【０００６】
請求項１記載の本発明のコードレスハンダゴテは、コテ先を取り付けるハンダゴテ本体と、前記ハンダゴテ本体にバッテリーを取り付けて用いるコードレスハンダゴテであって、前記ハンダゴテ本体には、前記バッテリーの出力端子に接続される電源端子と、前記バッテリーの入力端子に接続される充電端子と、前記電源端子と前記コテ先との通電回路を開閉する通電制御スイッチと、前記充電端子と接続される本体側入力端子とを備え、前記ハンダゴテ本体を保持台に載置することで、前記通電制御スイッチが前記通電回路を開とし、前記本体側入力端子が充電部に接続されることを特徴とする。
請求項２記載の本発明は、請求項１に記載のコードレスハンダゴテにおいて、前記通電制御スイッチとして、リードスイッチを用いたことを特徴とする。
請求項３記載の本発明は、請求項１又は請求項２に記載のコードレスハンダゴテにおいて、前記バッテリーには、定電圧回路を備えたことを特徴とする。
請求項４記載の本発明は、請求項１から請求項３のいずれか１項に記載のコードレスハンダゴテにおいて、前記バッテリーには、前記出力端子からの通電を停止する通電停止スイッチを備えたことを特徴とする。
請求項５記載の本発明は、請求項１から請求項４のいずれか１項に記載のコードレスハンダゴテにおいて、前記ハンダゴテ本体には、前記コテ先への通電状態を示す表示部を備えたことを特徴とする。
請求項６記載の本発明は、請求項１から請求項５のいずれか１項に記載のコードレスハンダゴテにおいて、前記本体側入力端子が一方本体側入力端子と他方本体側入力端子とで構成され、前記一方本体側入力端子を前記コテ先のコテ先外周面又は前記コテ先外周面に耐熱電気絶縁材を介して配置される導電材とし、前記他方本体側入力端子を前記ハンダゴテ本体に設けたことを特徴とする。
請求項７記載の本発明は、請求項１から請求項５のいずれか１項に記載のコードレスハンダゴテにおいて、前記電源端子が一方電源端子と他方電源端子とで構成され、前記一方電源端子を、前記コテ先への前記通電回路と、前記コテ先のコテ先外周面又は前記コテ先外周面に耐熱電気絶縁材を介して配置される導電材への接続とに切り替え、前記他方電源端子を、前記コテ先への前記通電回路と、導通チェッカー端子への接続とに切り替える切替スイッチを備え、前記導通チェッカー端子を前記ハンダゴテ本体に設け、前記切替スイッチによって、前記一方電源端子を前記コテ先外周面又は前記導電材に接続し、前記他方電源端子を前記導通チェッカー端子に接続し、前記導通チェッカー端子に一方プローブを接続し、前記コテ先を他方プローブとして用い、前記一方プローブと前記コテ先とを用いて導通チェックを行うことを特徴とする。
請求項８記載の本発明の保持台は、請求項２に記載のコードレスハンダゴテに用いる保持台であって、前記リードスイッチを動作させる磁石を備えたことを特徴とする。
請求項９記載の本発明は、請求項８に記載の保持台において、前記磁石を、前記リードスイッチを動作させる第１の位置と、前記リードスイッチを動作させない第２の位置とに移動できることを特徴とする。
請求項１０記載の本発明は、請求項８に記載の保持台において、前記磁石を、電磁石とし、前記電磁石への通電を断続的に行う制御部を備えたことを特徴とする。
請求項１１記載の本発明は、請求項８に記載の保持台において、前記本体側入力端子が一方本体側入力端子と他方本体側入力端子とで構成され、前記一方本体側入力端子を前記コテ先のコテ先外周面とし、前記他方本体側入力端子を前記ハンダゴテ本体に設け、前記コテ先を載置する載置部材と、前記載置部材を支持する受け台と、前記受け台に一端を支持される一対の可動アームとを備え、前記磁石を一対の前記可動アームの他端に設け、一方の前記可動アームに設けた前記磁石で、前記リードスイッチを動作させ、他方の前記可動アームに設けた前記磁石で、前記他方本体側入力端子と接続し、前記載置部材に前記一方本体側入力端子を接続したことを特徴とする。
請求項１２記載の本発明は、請求項８に記載の保持台において、前記コテ先の少なくとも先端を保温する保温カバーを設けたことを特徴とする。
【発明の効果】
【０００７】
本発明によれば、ハンダゴテ本体を保持台に載置している間、充電が行われるとともに、通電回路を開としてコテ先の温度を低下させることで、コテ先の先端に酸化膜が形成されることを防止でき、ハンダゴテ本体の保持台への載置時間が長くなってもコテ先のクリーニングの必要が無く、特にハンダ作業に不慣れな学生でも、安全で効率的なハンダ付け作業を行うことができる。
【図面の簡単な説明】
【０００８】
【図１】本発明の一実施例によるコードレスハンダゴテを機能実現手段で表したブロック図
【図２】同コードレスハンダゴテのハンダ付け作業時を示すブロック図
【図３】同コードレスハンダゴテを保持台に載置した通常状態を示すブロック図
【図４】同コードレスハンダゴテを、加熱状態を維持して保持台に載置した状態を示すブロック図
【図５】同コードレスハンダゴテの導通チェッカー使用状態を示すブロック図
【図６】同コードレスハンダゴテを示す構成図
【図７】同コードレスハンダゴテに用いる保持台を示す構成図
【図８】同コードレスハンダゴテの特性図
【図９】本発明の他の実施例によるコードレスハンダゴテを機能実現手段で表したブロック図
【図１０】図９に示すコードレスハンダゴテの特性図
【図１１】図９に示すコードレスハンダゴテに適した保持台を機能実現手段で表したブロック図
【図１２】図１１に示す保持台を用いた場合のコードレスハンダゴテの特性図
【図１３】本発明の更に他の実施例によるコードレスハンダゴテを機能実現手段で表したブロック図
【発明を実施するための形態】
【０００９】
本発明の第１の実施の形態によるコードレスハンダゴテは、ハンダゴテ本体には、バッテリーの出力端子に接続される電源端子と、バッテリーの入力端子に接続される充電端子と、電源端子とコテ先との通電回路を開閉する通電制御スイッチと、充電端子と接続される本体側入力端子とを備え、ハンダゴテ本体を保持台に載置することで、通電制御スイッチが通電回路を開とし、本体側入力端子が充電部に接続されるものである。本実施の形態によれば、ハンダゴテ本体を保持台に載置している間、充電が行われるとともに、通電回路を開としてコテ先の温度を低下させることで、コテ先の先端に酸化膜が形成されることを防止でき、ハンダゴテ本体の保持台への載置時間が長くなってもコテ先のクリーニングの必要が無く、特にハンダ作業に不慣れな学生でも、安全で効率的なハンダ付け作業を行うことができる。
【００１０】
本発明の第２の実施の形態は、第１の実施の形態によるコードレスハンダゴテにおいて、通電制御スイッチとして、リードスイッチを用いたものである。本実施の形態によれば、ハンダゴテ本体にリードスイッチを設けることで容易に通電回路を開とすることができる。
【００１１】
本発明の第３の実施の形態は、第１又は第２の実施の形態によるコードレスハンダゴテにおいて、バッテリーには、定電圧回路を備えたものである。本実施の形態によれば、放電によるコテ先温度の低下がなく、安定したハンダ付け作業を行える。
【００１２】
本発明の第４の実施の形態は、第１から第３のいずれかの実施の形態によるコードレスハンダゴテにおいて、バッテリーには、出力端子からの通電を停止する通電停止スイッチを備えたものである。本実施の形態によれば、バッテリーに通電停止スイッチを備えることで、不使用時の放電を防止できるとともに安全性を高めることができる。
【００１３】
本発明の第５の実施の形態は、第１から第４のいずれかの実施の形態によるコードレスハンダゴテにおいて、ハンダゴテ本体には、コテ先への通電状態を示す表示部を備えたものである。本実施の形態によれば、特にハンダゴテ本体を保持台に載置している状態でのコテ先への通電状態を確認できる。
【００１４】
本発明の第６の実施の形態は、第１から第５のいずれかの実施の形態によるコードレスハンダゴテにおいて、本体側入力端子が一方本体側入力端子と他方本体側入力端子とで構成され、一方本体側入力端子をコテ先のコテ先外周面又はコテ先外周面に耐熱電気絶縁材を介して配置される導電材とし、他方本体側入力端子をハンダゴテ本体に設けたものである。本実施の形態によれば、コテ先外周面又は導電材を一方本体側入力端子として用いることで、充電部への接続を容易に行える。
【００１５】
本発明の第７の実施の形態は、第１から第６のいずれかの実施の形態によるコードレスハンダゴテにおいて、電源端子が一方電源端子と他方電源端子とで構成され、一方電源端子を、コテ先への通電回路と、コテ先のコテ先外周面又はコテ先外周面に耐熱電気絶縁材を介して配置される導電材への接続とに切り替え、他方電源端子を、コテ先への通電回路と、導通チェッカー端子への接続とに切り替える切替スイッチを備え、導通チェッカー端子をハンダゴテ本体に設け、切替スイッチによって、一方電源端子をコテ先外周面又は導電材に接続し、他方電源端子を導通チェッカー端子に接続し、導通チェッカー端子に一方プローブを接続し、コテ先を他方プローブとして用い、一方プローブとコテ先とを用いて導通チェックを行うものである。本実施の形態によれば、導通チェック機能を備えることで、特に鉛フリーハンダを用いた場合のハンダ付け状態を確認することができる。
【００１６】
本発明の第８の実施の形態による保持台は、第２の実施の形態によるコードレスハンダゴテに用いる保持台において、リードスイッチを動作させる磁石を備えたものである。本実施の形態によれば、保持台に磁石を備えることで容易にリードスイッチを動作させることができる。
【００１７】
本発明の第９の実施の形態は、第８の実施の形態による保持台において、磁石を、リードスイッチを動作させる第１の位置と、リードスイッチを動作させない第２の位置とに移動できるものである。本実施の形態によれば、磁石を第２の位置に移動させることで、コテ先への通電を維持することができる。
【００１８】
本発明の第１０の実施の形態は、第８の実施の形態による保持台において、磁石を、電磁石とし、電磁石への通電を断続的に行う制御部を備えたものである。本実施の形態によれば、コテ先先端での酸化膜の形成を防止しつつ、コテ先温度の低下しすぎを防止でき、ハンダゴテ本体を保持台に載置した後のハンダ付け作業を迅速に行うことができる。
【００１９】
本発明の第１１の実施の形態は、第８の実施の形態による保持台において、本体側入力端子が一方本体側入力端子と他方本体側入力端子とで構成され、一方本体側入力端子をコテ先のコテ先外周面とし、他方本体側入力端子をハンダゴテ本体に設け、コテ先を載置する載置部材と、載置部材を支持する受け台と、受け台に一端を支持される一対の可動アームとを備え、磁石を一対の可動アームの他端に設け、一方の可動アームに設けた磁石で、リードスイッチを動作させ、他方の可動アームに設けた磁石で、他方本体側入力端子と接続し、載置部材に一方本体側入力端子を接続したものである。本実施の形態によれば、簡便な装置構成で充電を行えるとともに、通電回路を開としてコテ先の温度を低下させることができる。
【００２０】
本発明の第１２の実施の形態は、第８の実施の形態による保持台において、コテ先の少なくとも先端を保温する保温カバーを設けたものである。本実施の形態によれば、コテ先の温度の低下を防止でき、ハンダゴテ本体を保持台に載置した後のハンダ付け作業を迅速に行うことができる。
【実施例】
【００２１】
以下本発明の実施例について図面とともに説明する。
図１は本発明の一実施例によるコードレスハンダゴテを機能実現手段で表したブロック図である。
本実施例によるコードレスハンダゴテは、コテ先１０を取り付けるハンダゴテ本体２０と、ハンダゴテ本体２０に取り付けるバッテリー３０とで構成される。
ハンダゴテ本体２０には、バッテリー３０の出力端子３１に接続される電源端子２１と、バッテリー３０の入力端子３２に接続される充電端子２２と、電源端子２１とコテ先１０との通電回路２３を開閉する通電制御スイッチ２４と、充電端子２２と接続される本体側入力端子２５と、コテ先１０への通電状態を示す表示部２６と、切替スイッチ２７と、押圧スイッチ２８と、導通チェッカー端子２９とを備えている。
【００２２】
本体側入力端子２５は、例えばプラス端子となる一方本体側入力端子２５ａと、マイナス端子となる他方本体側入力端子２５ｂとで構成される。
一方本体側入力端子２５ａはコテ先１０のコテ先外周面１１とし、他方本体側入力端子２５ｂはハンダゴテ本体２０に設けている。
なお、他方本体側入力端子２５ｂと導通チェッカー端子２９とは電気的に接続され、同電位である。
【００２３】
電源端子２１は、例えばプラス端子となる一方電源端子２１ａと、マイナス端子となる他方電源端子２１ｂとで構成される。
切替スイッチ２７は、ハンダゴテ使用状態と導通チェッカー使用状態とを切り替える。すなわち、切替スイッチ２７は、一方電源端子２１ａを、コテ先１０の通電回路２３への接続と、コテ先１０のコテ先外周面１１への接続とに切り替え、他方電源端子２１ｂを、連動スイッチ２７ａを介して、コテ先１０の通電回路２３への接続と、導通チェッカー端子２９への接続とに切り替える。連動スイッチ２７ａは切替スイッチ２７に連動して動作する。
【００２４】
コテ先１０の内部には、コテ先１０の先端１２を加熱する加熱源１３を設けている。加熱源１３は、通電回路２３によって一方電源端子２１ａと他方電源端子２１ｂとに接続されている。
【００２５】
バッテリー３０には、出力端子３１からの通電を停止する通電停止スイッチ３３と、例えばレギュレータで構成される定電圧回路３４とを備えている。
【００２６】
コードレスハンダゴテを載置する保持台５０は、バッテリー３０を充電する充電部６０と、通電制御スイッチ２４を動作させる通電制御スイッチ動作部７０とを備えている。
充電部６０は、二次電池からなる電源、交流電源から供給される電力を変換する電源回路、又は外部電源との接続端子である。充電部６０は、コテ先外周面１１と接触する一方充電部側端子６１ａと、他方本体側入力端子２５ｂと接続される他方充電部側端子６１ｂとを備えている。
【００２７】
本実施例では、通電制御スイッチ動作部７０は磁石７１であり、通電制御スイッチ２４はリードスイッチである。磁石７１の位置によって、リードスイッチである通電制御スイッチ２４を動作させる。磁石７１は、リードスイッチを動作させる第１の位置７１ａと、リードスイッチを動作させない第２の位置７１ｂとに移動できる。
通電制御スイッチ動作部７０は、ハンダゴテ本体２０が保持台５０に載置されることで、通電制御スイッチ２４を動作させるものであればよく、例えば、通電制御スイッチ２４をハンダゴテ本体２０の外面に出没可能なスイッチとし、通電制御スイッチ動作部７０は、ハンダゴテ本体２０が保持台５０に載置されることで、出没可能な通電制御スイッチ２４を押圧する構成のものでもよい。
【００２８】
図２は本実施例によるコードレスハンダゴテのハンダ付け作業時を示すブロック図である。
コードレスハンダゴテのハンダ付け作業時には、加熱源１３によってコテ先１０の先端１２は加熱される。
バッテリー３０の通電停止スイッチ３３はオフ、すなわちバッテリー３０は出力端子３１から通電状態としている。
ハンダゴテ本体２０は、保持台５０から外されているため、通電制御スイッチ２４は通電回路２３を閉としている。
切替スイッチ２７は、ハンダゴテ使用状態としている。従って、一方電源端子２１ａ及び他方電源端子２１ｂはコテ先１０への通電回路２３に接続されている。
従って、加熱源１３は、バッテリー３０から通電されて加熱され、表示部２６はハンダゴテ使用状態を、点灯や点滅によって表示する。
【００２９】
図３は本実施例によるコードレスハンダゴテを保持台に載置した通常状態を示すブロック図である。
コードレスハンダゴテを保持台５０に載置することで、一方本体側入力端子２５ａはコテ先外周面１１を介して一方充電部側端子６１ａと接続され、他方本体側入力端子２５ｂは他方充電部側端子６１ｂと接続される。
従って、バッテリー３０は充電部６０によって充電される。
通電制御スイッチ２４は、通電制御スイッチ動作部７０によって通電回路２３を開としている。具体的には、通電制御スイッチ２４を構成するリードスイッチに、通電制御スイッチ動作部７０を構成する磁石７１が近接する（第１の位置７１ａ）ことで、通電制御スイッチ２４はオフ状態となっている。
従って、加熱源１３はバッテリー３０から通電されず、表示部２６はハンダゴテ使用状態でないことを、非点灯によって表示する。
なお、バッテリー３０の通電停止スイッチ３３をオフとし、切替スイッチ２７を導通チェッカー使用状態としてもよい。
【００３０】
図４は本実施例によるコードレスハンダゴテを、加熱状態を維持して保持台に載置した状態を示すブロック図である。
保持台５０に載置した状態で加熱源１３の加熱状態を維持するには、通電制御スイッチ動作部７０を非動作状態に切り替える。
図４では、通電制御スイッチ動作部７０を構成する磁石７１を、通電制御スイッチ２４を構成するリードスイッチから離間させた状態（第２の位置７１ｂ）を示している。
【００３１】
通電制御スイッチ２４を非動作状態とすることで、通電制御スイッチ２４は通電回路２３を閉とした状態を維持し、一方電源端子２１ａ及び他方電源端子２１ｂはコテ先１０への通電回路２３に接続されている。
なお、バッテリー３０の通電停止スイッチ３３はオフ、切替スイッチ２７は、ハンダゴテ使用状態としている。
従って、加熱源１３は、バッテリー３０から通電されて加熱され、表示部２６はハンダゴテ使用状態を、点灯や点滅によって表示する。
【００３２】
図５は本実施例によるコードレスハンダゴテの導通チェッカー使用状態を示すブロック図である。
コードレスハンダゴテの導通チェッカー使用状態には、加熱源１３は加熱されない。
バッテリー３０の通電停止スイッチ３３はオフ、すなわちバッテリー３０は出力端子３１から通電状態としている。
ハンダゴテ本体２０は、保持台５０から外されているため、通電制御スイッチ２４は通電回路２３を閉としている。
切替スイッチ２７は、導通チェッカー使用状態としている。従って、一方電源端子２１ａはコテ先１０のコテ先外周面１１に接続され、他方電源端子２１ｂは導通チェッカー端子２９に接続される。
導通チェッカー端子２９には一方プローブ８０を接続し、コテ先１０を他方プローブとして用い、一方プローブ８０とコテ先１０とを用いて導通チェックを行う。
なお、出力端子３１から導通チェッカー端子２９までの間に、押圧スイッチ２８を設けることが好ましい。押圧スイッチ２８は、使用者が押圧スイッチ２８を押圧している間だけ出力端子３１から導通チェッカー端子２９までの回路を閉とするものである。
なお、導通確認用表示部を導通チェッカー端子２９から一方プローブ８０の間に設けてもよいが、表示部２６を導通確認用表示部として用いることができる。
【００３３】
図６は本実施例によるコードレスハンダゴテを示す構成図である。
コテ先１０は、ハンダゴテ本体２０の一端側に取り付けられ、バッテリー３０は、ハンダゴテ本体２０の他端側に取り付けられる。
バッテリー３０は、電源端子２１と出力端子３１との嵌合、及び充電端子２２と入力端子３２との嵌合によってハンダゴテ本体２０に取り付けられる。
バッテリー３０は、ハンダゴテ本体２０に着脱可能である。
一方本体側入力端子２５ａは、ハンダゴテ本体２０の内部でコテ先１０のコテ先外周面１１に接続されている。
他方本体側入力端子２５ｂは、ハンダゴテ本体２０の外表面に配置されている。
本実施例のように、通電制御スイッチ２４としてリードスイッチを用いる場合には、ハンダゴテ本体２０の内部で、表示部２６及び切替スイッチ２７よりもハンダゴテ本体２０の一端側に配置することが好ましい。
また、図７に示す保持台５０を用いる場合には、リードスイッチと他方本体側入力端子２５ｂとをハンダゴテ本体２０の対向する外周面に配置することが好ましい。
【００３４】
図７は本実施例によるコードレスハンダゴテに用いる保持台を示す構成図である。
本実施例による保持台５０は、コテ先１０を載置する載置部材５１と、載置部材５１を支持する受け台５２と、受け台５２に一端を支持される一対の可動アーム５３と、外部電源との接続端子である充電部６０とを備えている。載置部材５１は導電材で構成されている。本実施例による保持台５０は、充電部６０に他の二次電池又は外部電源を接続して用いる。
一対の可動アーム５３の他端には、それぞれ磁石５４を設けている。
受け台５２の底面には、固定用磁石５５を設けている。固定用磁石５５は、載置部材５１側に配置している。固定用磁石５５を設けることで、金属机などで用いる場合には保持台５０の移動を防止でき、コードレスハンダゴテを安定して載置できる。また、固定用磁石５５を載置部材５１側に配置することで、コテ先１０を高い位置としてハンダゴテ本体２０を保持台５０に載置できる。
受け台５２は、可動アーム５３、及び磁石５４と同電位かつ接地電位あって、載置部材５１と絶縁されている。充電部６０の一方充電部側端子６１ａは載置部材５１と接続され、充電部６０の他方充電部側端子６１ｂはそれぞれの磁石５４と接続されている。
【００３５】
本実施例によるコードレスハンダゴテは、図６に示すように、一方本体側入力端子２５ａをコテ先１０のコテ先外周面１１とし、他方本体側入力端子２５ｂをハンダゴテ本体２０の外周面に設け、通電制御スイッチ２４としてリードスイッチと他方本体側入力端子２５ｂとをハンダゴテ本体２０の対向する外周面に配置している。従って、コードレスハンダゴテを保持台５０に載置することで、一方の可動アーム５３に設けた磁石５４で、リードスイッチを動作させ、他方の可動アーム５３に設けた磁石５４で、他方本体側入力端子２５ｂと接続することができ、載置部材５１とコテ先外周面１１との接触によって、一方本体側入力端子２５ａと充電部６０の一方充電部側端子６１ａとを接続できる。
従って、図３で説明したように、通電制御スイッチ２４をオフ状態として加熱源１３に通電することなく、バッテリー３０を充電することができる。
また、図４で説明したように、加熱源１３の加熱状態を維持するには、一方の可動アーム５３に設けた磁石５４をリードスイッチから切り離すことで、通電制御スイッチ動作部７０を非動作状態とすることができる。
【００３６】
図８は本実施例によるコードレスハンダゴテの特性図である。
図８は、縦軸をコテ先１０の先端１２の温度、横軸を経過時間とし、本実施例による定電圧回路３４を備えたバッテリー３０の特性をＡ、比較例による定電圧回路３４を備えないバッテリー３０の特性をＢとして示している。なお、本実施例によるバッテリー３０には、リチウムイオン電池を用い、定電圧回路３４では、３．７ｖを５ｖに電圧変換している。
共晶ハンダの融点は１８３℃、鉛フリーハンダの融点は２１７℃であるが、ハンダ付け作業に適したコテ先１０の先端１２の温度は３４０℃〜３８０℃である。
比較例として示す特性Ｂでは、経過時間ととともにコテ先１０の先端１２の温度が徐々に低下している。このように、コテ先１０の先端１２の温度が徐々に低下すると、経過時間によってハンダの溶け具合が異なるため、効率的なハンダ付け作業を行いにくい。
これに対して、本実施例として示す特性Ａでは、経過時間の影響を受けることなく安定した温度を維持しており、効率的なハンダ付け作業を行える。
【００３７】
以上のように本実施例によれば、ハンダゴテ本体２０を保持台５０に載置することで、通電制御スイッチ２４が通電回路２３を開とし、本体側入力端子２５が充電部６０に接続されるため、ハンダゴテ本体２０を保持台５０に載置している間、充電が行われるとともに、通電回路２３を開としてコテ先１０の温度を低下させることで、コテ先１０の先端１２に酸化膜が形成されることを防止でき、ハンダゴテ本体２０の保持台５０への載置時間が長くなってもコテ先１０のクリーニングの必要が無く、特にハンダ作業に不慣れな学生でも、安全で効率的なハンダ付け作業を行うことができる。
また、本実施例によれば、ハンダゴテ本体２０にリードスイッチを設け、保持台５０にリードスイッチを動作させる磁石７１を備えることで容易に通電回路２３を開とすることができる。
また、本実施例によれば、バッテリー３０に定電圧回路３４を備えることで、放電によるコテ先１０の温度の低下がなく、安定したハンダ付け作業を行える。
また、本実施例によれば、バッテリー３０に通電停止スイッチ３３を備えることで、不使用時の放電を防止できるとともに安全性を高めることができる。
また、本実施例によれば、ハンダゴテ本体２０にコテ先１０への通電状態を示す表示部２６を備えることで、特にハンダゴテ本体２０を保持台５０に載置している状態でのコテ先１０への通電状態を確認できる。
また、本実施例によれば、コテ先外周面１１を一方本体側入力端子２５ａとして用いることで、充電部６０への接続を容易に行える。
また、本実施例によれば、導通チェック機能を備えることで、特に鉛フリーハンダを用いた場合のハンダ付け状態を確認することができる。
また、本実施例によれば、磁石７１を、リードスイッチを動作させる第１の位置７１ａと、リードスイッチを動作させない第２の位置７１ｂとに移動できるため、磁石７１を第２の位置７１ｂに移動させることで、コテ先１０への通電を維持することができる。
また、本実施例によれば、コテ先１０を載置する載置部材５１と、載置部材５１を支持する受け台５２と、受け台５２に一端を支持される一対の可動アーム５３とを備え、磁石５４を一対の可動アーム５３の他端に設け、一方の可動アーム５３に設けた磁石５４で、リードスイッチを動作させ、他方の可動アーム５３に設けた磁石５４で、他方本体側入力端子２５ｂと接続し、載置部材５１に一方本体側入力端子２５ａを接続することで、簡便な装置構成で充電を行えるとともに、通電回路２３を開としてコテ先１０の温度を低下させることができる。
【００３８】
図９は本発明の他の実施例によるコードレスハンダゴテを機能実現手段で表したブロック図である。なお、図１と同一機能部材には同一符号を付して説明を省略する。
本実施例によるコードレスハンダゴテでは、通電制御スイッチ動作部７０は、電磁石７５を用いるとともに、電磁石７５への通電を断続的に行う制御部７６を備えている。
【００３９】
図１０は図９に示すコードレスハンダゴテの特性図である。
図１０は、縦軸をコテ先１０の先端１２の温度、横軸を経過時間とし、制御部７６ではコードレスハンダゴテの保持台５０への載置から、停止時間Ｔ１と通電時間Ｔ２とを繰り返し行ったものである。
本実施例のように、制御部７６によって電磁石７５への通電を断続的に行うことで、コテ先１０の先端１２での酸化膜の形成を防止しつつ、コテ先１０の温度の低下しすぎを防止でき、ハンダゴテ本体２０を保持台５０に載置した後のハンダ付け作業を迅速に行うことができる。
なお、本実施例のように、電磁石７５への通電を断続的に行う場合であっても、バッテリー３０は充電部６０によって継続的に充電される。
停止時間Ｔ１と通電時間Ｔ２とは、使用環境に応じて、制御部７６により変更可能とすることが好ましい。
【００４０】
図１１は図９に示すコードレスハンダゴテに適した保持台を機能実現手段で表したブロック図である。なお、図９と同一機能部材には同一符号を付して説明を省略する。
本実施例による保持台５０には、コテ先１０の少なくとも先端１２を保温する保温カバー５６を設けている。保温カバー５６は、例えば耐熱ガラス材を用いて有底筒状に形成する。
このように、保温カバー５６を設けることで、コテ先１０の先端１２を保温できるとともに、コテ先１０の先端１２に付着するハンダカスを回収することができる。
【００４１】
図１２は図１１に示す保持台を用いた場合のコードレスハンダゴテの特性図である。
図１２は、図１０と同様に、縦軸をコテ先１０の先端１２の温度、横軸を経過時間とし、制御部７６ではコードレスハンダゴテの保持台５０への載置から、停止時間Ｔ１と通電時間Ｔ２とを繰り返し行ったものである。
本実施例のように、保温カバー５６を設けることで、コテ先１０の温度の低下を防止でき、ハンダゴテ本体２０を保持台５０に載置した後のハンダ付け作業を迅速に行うことができる。
なお、電磁石７５への通電を断続的に行う制御部７６を備えている場合で説明したが、このような制御部７６を備えていない場合であっても、保温カバー５６を設けることで、コテ先１０の温度の低下しすぎを防止でき、ハンダゴテ本体２０を保持台５０に載置した後のハンダ付け作業を迅速に行うことができる。
【００４２】
図１３は本発明の更に他の実施例によるコードレスハンダゴテを機能実現手段で表したブロック図である。なお、図１と同一機能部材には同一符号を付して説明を省略する。
本実施例によるコテ先１０ａは、コテ先外周面１１を一方本体側入力端子２５ａとして用いることができないコテ先のタイプの場合のものである。
このようなコテ先１０ａを用いる場合には、コテ先外周面１１に配置する耐熱電気絶縁材１４と、耐熱電気絶縁材１４によってコテ先外周面１１から絶縁される導電材１５とを用いる。
例えば、コテ先外周面１１にテープ状の耐熱電気絶縁材１４を巻き、金属製パイプからなる導電材１５を被せる。
本実施例では、一方本体側入力端子２５ａは、コテ先１０ａのコテ先外周面１１に設けた導電材１５と接続する。切替スイッチ２７は、一方電源端子２１ａを、コテ先１０ａの通電回路２３への接続と、コテ先１０ａのコテ先外周面１１に設けた導電材１５への接続とに切り替える。充電部６０の一方充電部側端子６１ａは、コテ先外周面１１に設けた導電材１５と接触する。
このように、コテ先外周面１１に耐熱電気絶縁材１４を介して配置される導電材１５を設けることで、コテ先外周面１１を一方本体側入力端子２５ａとして用いることができないコテ先１０ａであっても充電部６０への接続を容易に行える。
【産業上の利用可能性】
【００４３】
本発明のコードレスハンダゴテは、教育機関における課題実習で用いるハンダゴテとして最適であるが、野外作業で用いるハンダゴテとしても適している。
【符号の説明】
【００４４】
１０、１０ａ  コテ先
１１  コテ先外周面
１２  先端
１３  加熱源
１４  耐熱電気絶縁材
１５  導電材
２０  ハンダゴテ本体
２１  電源端子
２１ａ  一方電源端子
２１ｂ  他方電源端子
２２  充電端子
２３  通電回路
２４  通電制御スイッチ
２５  本体側入力端子
２５ａ  一方本体側入力端子
２５ｂ  他方本体側入力端子
２６  表示部
２７  切替スイッチ
２８  押圧スイッチ
２９  導通チェッカー端子
３０  バッテリー
３１  出力端子
３２  入力端子
３３  通電停止スイッチ
３４  定電圧回路
５０  保持台
５１  載置部材
５２  受け台
５３  可動アーム
５４  磁石
５５  固定用磁石
５６  保温カバー
６０  充電部
６１ａ  一方充電部側端子
６１ｂ  他方充電部側端子
７０  通電制御スイッチ動作部
７１  磁石
７５  電磁石
７６  制御部
【図１】
2018158381.tif 000003
【図２】
2018158381.tif 000004
【図３】
2018158381.tif 000005
【図４】
2018158381.tif 000006
【図５】
2018158381.tif 000007
【図６】
2018158381.tif 000008
【図７】
2018158381.tif 000009
【図８】
2018158381.tif 000010
【図９】
2018158381.tif 000011
【図１０】
2018158381.tif 000012
【図１１】
2018158381.tif 000013
【図１２】
2018158381.tif 000014
【図１３】
2018158381.tif 000015